(57)【要約】【課題】浄化水槽側に導入される水流が、浄化されて、その水流が仕切板上部を通して水圧水槽に流入され、その底部の水圧力が水圧管を通じて発電機構内部を通すことで、電力が得られる浄化水圧発電装置。【解決手段】タンク本体内部を縦に仕切る仕切板を有して、浄化水槽と、水圧水槽が設けられ、仕切板上部に連結する貫通部分を設けて、そのタンク本体頭部に着脱自在な網状蓋を有して、その上部に位置して前記浄化水槽側に、水流を導入する導入管が配管して設け、浄化水槽底部に不純物を排出する排出管手段を有し、前記水圧水槽底部の流出孔連結部と外側に配置した発電機構内部と、連結内通する水圧管途中に、水圧流を調節する操作ハンドル手段と、前記タンク本体上部水量位置に取り付けた余水排水配管と、発電機構底部からの排水配管とを立設面に接続する着脱自在な蓋を有する貯水槽が、地盤に配設して接続され、設けている、その貯水槽に接続された排水配管と余水排水配管に対称する立設側面部に取り付けた貯水排管が傾斜して外部に配置させてある。【選択図】図１
2011231599.tif 000002
【特許請求の範囲】
【請求項１】
タンク本体と、発電機構と、貯水槽とから構成され、タンク本体の頭部より上方に位置する水源から前記タンク本体内へ水を導入して、タンク本体内に蓄えられた水の水圧を利用して、前記発電機構によって発電を行う浄化水圧発電装置であって、前記タンク本体は、底下部に支持台を設け、タンク本体内部を仕切板で縦に仕切られ、浄化水槽と、水圧水槽が設けられる、頭部は着脱自在な部分網状蓋を設けて、その上部から浄化水槽内に水流を導入する導入管を設け、仕切板上部を水流が浄化水槽側から水圧水槽内に流入する部分を有し、浄化水槽底部に、不純物を排出する排出路を開閉する手段を有した排出管を設けられ、前記水圧水槽底部に流出孔外側連結部を有している連結部から間隔を有して、配設された発電機構内に連結内通する水圧管を設けられ、水圧管間隔部分に水圧路を開閉させる調節ハンドルを有するベン手段が設けられている、発電機構底部からの排水配管と、タンク本体上部水量位置からの余水排水配管とを、接続内通する着脱自在の蓋を有する貯水槽が配設され、前記発電機構底部の排水配管及び余水排水配管が接続されていない側面部に取り付けた貯水排管が、勾配を有して外部に配置されていることを特徴とする浄化水圧発電装置。
【請求項２】
タンク本体内部を、仕切板で縦に仕切られ、浄化水槽と水圧水槽が設けられていることを請求項１に記載の浄化水圧発電装置。
【請求項３】
仕切板上部に、前記浄化水槽側から水圧水槽側に水流が流入する部分として、貫通部分を設けている請求項１または２に記載の浄化水圧発電装置。
【請求項４】
タンク本体頭部、着脱自在な部分網状蓋を設けられている請求項１〜３いずれか１項載の浄化水圧発電装置。
【請求項５】
前記部分網状蓋の上方位置に、浄化水槽側に、水流を導入する導入管が、勾配を有して配管され浄化水槽外側上部に取り付けられている係止手段の係止部に取り付けて前記導入管が設けられている請求項１〜４いずれか１項記載の浄化水圧発電装置。
【請求項６】
浄化水槽底部に不純物の排出する排出管が垂直に下方に延び、途中横側にも配置され、二方向に別れた排出路を開閉する手段を有して備えた、排出管が設けられている請求項１〜５いずれか１項記載の浄化水圧発電装置。
【請求項７】
流出孔外側連結部に連結して途中水圧路を開閉する調節手段と、配置された発電機構内部に連結内通する水圧管を設けている請求項１〜６いずれか１項記載の浄化水圧発電装置。
【請求項８】
発電機構からの排水配管と、タンク本体上部からの余水排水配管とを接続内通する、着脱自在な蓋の貯水槽は、タンク本体及び前記発電機構よりも下側に配設して、その立ち上がり側面部に取り付けた、貯水排水管が下側に傾斜するように設けている請求項１〜７のうちいずれか１項記載の浄化水圧発電装置。
【発明の詳細な説明】
【技術分野】
【０００１】  本発明は高低差部分において、上部水流を導入して、水流の浄化と、水圧水槽底部の水量水圧力による、高い電力を得ることができる浄化水圧発電装置に関するものである。
【背景技術】
【０００２】  近年でも水力発電装置では、多くは渓流、清流の落差のある場所で、水流を長くした配管に取り入れ落差による直接の水圧を発電装置で発電して電力を得る方法であった。【０００３】  また、従来においては、特文献１に開示されているように、自動循環水式発電装置では、駆動ポンプで水を循環させ落下水流で発電するシステムなる技術が提案されている。【０００４】  このシステムは、高架水槽内部を上下に水槽を分けた、中央に垂直に取り付けた垂直落下水管の内部に発電装置部分を備えた、上部水槽から水流を取り入れて落下させ、タービンを回転させて発電機に伝達し、電力を得る装置である、一方落下した水流は下部水槽に入れられ、下部水槽底部に接続したポンプ吸引管によりポンプを通して揚げ水管で上部水槽に落下水流は戻される、水の循環と、垂直落下水流で発電する装置が提案されている。
【先行技術文献】
【特許文献】
【０００５】
【特許文献１】特許第３１２５１３４号
【発明の概要】
【０００６】  しかしながら上記した特許文献１に示す自動循環水式発電装置の場合、中央に位置する垂直落下水の上部先端から送水を落下させ、中段タービン羽の回転力で発電する装置であるが、落下水力がタービン羽上部のノズルグループが複数設けてあることから抵抗となり、また駆動ポンプで水を循環させる電力以上の電力を得る事は困難な問題点を有していた。
【０００７】  本発明は、段差のある場所で設置するタンク本体上部に位置する水流を導入させ頭部網状蓋と浄化水槽内で不純物を取り除き、一方水圧水槽底部の水圧力を発電装置に送り込むことで電力得ることができることを提供する。
【課題を解決するための手段】
【０００８】  本発明はタンク本体と、発電機構と、貯水槽とから構成され、タンク本体の頭部より上方に位置する水源から前記タンク本体内へ水を導入して、タンク本体内に蓄えられた水の水圧を利用して、前記発電機構によって発電を行なう浄化水圧発電装置であって、前記タンク本体は、底下部に支持台を設け、タンク本体内部を仕切板で縦に仕切られ、浄化水槽と、水圧水槽が設けられる、頭部は着脱自在な部分網状蓋を設けて、その上部から浄化水槽内に水流を導入する導入管を設け、仕切板上部を水流が浄化水槽側から水圧水槽内に流入する部分を有し、浄化水槽底部に、不純物を排出する排出路を開閉する手段を有した排出管を設けられ、前記水圧水槽底部に流出孔外側連結部を有している連結部から間隔を有して、配設された発電機構内に連結内通する水圧管を設けられ、水圧管間隔部分に水圧路を開閉させる調節ハンドルを有するベン手段が設けられている、発電機構底部からの排水配管と、タンク本体上部水量位置からの余水排水配管とを、接続内通する着脱自在の蓋を有する貯水槽が配設され、前記発電機構底部の排水配管及び余水排水配管が接続されていない側面部に取り付けた貯水排管が、勾配を有して外部に、配置されていることで上述した課題を解決した。【０００９】  段差のある場所に、設置するタンク本体頭部の上から、水流を導入する導入管は、勾配を有して、タンク本体浄化水槽側上部に。配管されていることで同じく上述した課題を解決した。【００１０】  また、タンク本体頭部着脱自在な網状蓋を設けてあるが、上部から水流を導入する部分だけ網状にしてもよく、同じく上述した課題を解決した。【００１１】  また、タンク本体内部を仕切板で縦に仕切られ浄化水槽と、水圧水槽に分けられ、仕切板上部に仕切部分を少し残して水を流出させる部分設けてもよく、または上部いっぱいに仕切って上部に貫通孔を設けて、貫通孔に網状で覆ってもよく、また浄化水槽底部に不純物排出路を有する排出管は下方途中二方向に分けられ一方は底部から垂直に下え延び先端に開閉する蓋状を有し、もう一方は途中から横側に延び途中排出路を開閉するハンドルを有するベンが設けられている、また水圧水槽底部側に流出孔を有する外側に、水圧管を連結する連結部が設けている、この流出孔と連結部は、導入される水量により複数設けて、複数の発電機構を配置して、水圧管で連結内通させて、使用することも可能である同じく上述した課題を解決した。
【発明の効果】
【００１２】  上部水流から段差が大き場所においては、タンク本体を高く横幅は縦に対して安定性のある適する大きさにすることで水圧水槽底部の水圧力を高めることができ、高い電力に変換できる。また導入する水量をより多くむだなく発電装置内を通すことで、より高い電力が得られる。【００１３】  また高い位置に水流があって斜め高低差が大きい場所では、浄化水圧発電装置を段階に下方複数設置して、貯水槽からの配管をタンク本体部頭上にそれぞれ接続し、水流を導入することで、自動的に高い水の浄化と、高い電力が得られる。【００１４】  本発明は、タンク本体を仕切板で縦に仕切ることで、浄化水槽と、水圧水槽が設けられ、導入される水流のよりよい浄化をすることで、発電機構の障害を防ぎ、また、他にも利用可能性を秘めている、更に、もう一方側底部で水圧力を発生する、水圧水槽を備えていることで電力が得られることで効果的である。
【図面の簡単な説明】
【００１５】
【図１】浄化水圧発電装置の構成を示す斜視図である。
【図２】タンク本体の設置する構成を示す縦断面図である。
【図３】発電機構と、連結する水圧管間隔部の水圧路を開閉して調節するハンドルを有するベン手段の構成を示す縦断面図である。
【図４】浄化水槽底部の不純物を排出する垂直部分の排出管先端を開閉させている状態を示す側面図である。
【発明を実施するための形態】
【００１６】  以下に、図面を参照して本発明を実施するための形態を詳細に説明する。
【００１７】  本発明に係る浄化水圧発電装置は、図１・図２に示すように、形状は限定のないタンク本体１は、仕切板３で内部を縦に仕切られ、浄化水槽４と、水圧水槽５が設けられ、浄化水槽４外側上部に、導入管２を係止する係止部ＩＣを有する係止材１ｂは頭部に突出して下部が取り付けられている。
【００１８】  また、仕切板３上部浄化水槽４側から水圧水槽５側に貫通部分３ａに、網類またはフィルター状など取り替え可能に、貫通孔、または貫通部分を額縁手段により着脱自在に設けられている、その貫通部分３ａは仕切板３で、タンク本体１内部を頭部まで縦に仕切って、前記導入管２から導入される水量を予測して十分に適応できる形状限定なく貫通部分３を設けることが効適であるが、また仕切板３で適位置まで仕切り上部を少し残して、貫通部分３ａを設けることもできる。
【００１９】  前記タンク本体１内側に補強材２３が取り付けられ、この補強材２３は外側に設けてもよく、またタンク本体１底下部を支持する支持台１９が、地盤Ｇに複数配設して設けられている。
【００２０】  また、図２・図４に示す、浄化水槽４底部に設けた不純物排出路２５を有する排出管２４は、下方垂直に延び途中横側にも別れて配置され、垂直部分の先端に開閉する内側クッション材を有する逆蓋２７は、側端部に固着したアーム２７ａが、チョッガイ式に排出管２４外側部に取り付けられている、その逆蓋２７を閉めた状態の地盤Ｇに設けたスライド盤２９上面と逆蓋２７外面との垂直に適する長さにした支持棒２７ｂの一方を上部に位置する逆蓋２７外面の適する位置に固着して設けられ、その支持棒２７ｂ下部にチョッガイ式に取り付けた操作棒２８の操作により逆蓋開閉自在にできる、更に前記途中横側に配置された排出管２４の途中排出路２５を開閉する開閉ハンドル２６を有するベン手段が設けられている。
【００２１】  更に、水圧水槽５底部周壁に流出孔５ａを設けてある、その外側に連結部５ｂを有している、またタンク本体１頭部に着脱自在な上面網状蓋１ａを設けているが、水流を導入する部分だけ網状にしてもよい、その上部に配管される導入管２は、浄化水槽４外側上部に取り付けた係止材１ｂが上部に突出して、その係止材１ｂの係止部ＩＣに導入管２が係止し、勾配を有して、水流導入管２が配管され、浄化水槽４内に水流を上部から導入されるようになっている。
【００２２】  前記流出孔５ａの外側連結部５ｂに、水圧管６の一方を連結して、もう一方は間隔を有して、設置部Ｇに設置した、発電機構７の発電ケース７ａ上部を貫通させ下方に曲げられ、タービン室８上面部中央を更に貫通させて適位置まで突出させて、連結内通してある。
【００２３】  図３に示す水圧管６途中間隔部分に、水圧路６ａを開閉させ水圧流を調整する、操作ハンドル１６を有するベン１７ａは操作ハンドル１６中央に直結したボルト状１６ａが下に配置され、そのボルト状１６ａに歯み合う内側ナット状にネジ山が設けられた、筒状１７部分下先端にベン１７ａが直結されている、ハンドルを操作する事で、ベン１７ａが上下されその位置に、水圧路６ａを仕切る仕切材Ｆが中央部分を水平にして、ベン１７ａが上下する適する位置に、適合する流水孔Ｆ１が設けられ、仕切板Ｆ周囲は固着されて設けられている。
【００２４】  前記タービン室８に突出させた突出部６Ｅ先端部を、密閉材６Ｆで固着して密閉され、その突出部６Ｅに、タービン羽９の回転方向に、水圧流を噴出する噴出孔６Ｃを有する噴出部６ｂを外周壁に沿って複数設けられている、その周囲を下部から囲むように立設されるタービン羽９下元部９ａに取り付ける中央回転軸９ｂは、突出部６Ｅ先端密閉された中央から垂直上部に曲がり部分を貫通する部分に、取り付けたベアリング１０ａ中央を、回転自在に貫通して突出させて備え、下先端部は、タービン室８下部に取付けて設けた支持部１０ｂに適位置に取付けたベアリング１０中央に回転自在に取り付けてある。
【００２５】  更に、中央回転軸９ｂ上部突出させた部分に連動変則する歯車１１を取り付けて、この歯車１１に噛み合い回転を連動する歯車１２・１２ａ・１３に連動される歯車１３は発電機軸１４上部に取り付けてあることから発電機１５に、タービ羽９の回転力が伝達され電気に変換される、この発電機構７底外側４方の角部に取り付けた保持材足７ｃが、下広がりに延びて、地盤Ｃに設置して設けられている、また発電機構７底部に取り付けた排水配管７ｂは、下側地盤Ｇに配設した貯水槽１８の立ち上がり面部に勾配を有して接続されている、
【００２６】  前記発電機構７底からの排水排管７ｂと、タンク本体１上部水量位置２２に取り付けられた余水排水排管２０がタンク本体１の外側に沿って下方に延びて配管されてる、余水排水配管２０とを下側の貯水槽１８の同じく立ち上がり面部に貫通して接続されている貯水槽１８は、着脱自在な蓋１８ａを有して地盤Ｇに配設されている、前記貯水槽１８に、発電機構７の排水配管７ｂと、タンク本体１からの余水排水配管２０との接続部と、対称する立ちあがり側面部に取り付けた貯水排水管１８ｂが、下側に傾斜するように外部に配置されている。
【産業上の利用可能性】
【００２７】  本発明は、渓流または清流の落差のある場所だけに限定されず、湧き水・池水・排水等の高低差のある場所に於いて、前記タンク本体を大小自在にすることでそれを対応する効率よい電力が得られる、一方水のよりよい浄化が可能であるので幅広い応用が可能である
【符号の説明】
【００２８】１・・・タンク本体      １０ｂ・・・支持部      Ｆ１・・・ベン
１ａ・・・部分網状蓋    １１・・・歯車          Ｇ・・・地盤
１ｂ・・・係止材        １２・・・歯車
１ｃ・・・係止部        １２ａ・・・歯車
２・・・導入管          １３・・・歯車
３・・・仕切板          １４・・・発電機軸
３ａ・・・貫通部分      １５・・・発電機
４・・・浄化水槽        １６・・・操作ハンドル
５・・・水圧水槽        １６ａ・・・ボルト状
５ａ・・・流出孔        １７・・・筒状
５ｂ・・・外側連結部    １７ａ・・・ベン
６・・・水圧管          １８・・・貯水槽
６ａ・・・水圧路        １８ａ・・・蓋
６ｂ・・・噴出部        １８ｂ・・・貯水排水管
６ｃ・・・噴出孔        １９・・・支持台
６Ｅ・・・突出部        ２０・・・余水排水配管
６Ｆ・・・密閉材
７・・・発電機構        ２２・・・水量位置
７ａ・・・発電ケース    ２３・・・補強材
７ｂ・・・排水配管      ２４・・・排出管
７０・・・保持材足      ２５・・・排出路
８・・・タービン室      ２６・・・開閉ハンドル
９・・・タービン羽      ２７・・・逆蓋
９ａ・・・下元部        ２７ａ・・・アーム
９ｂ・・・中央回転軸    ２７ｂ・・・支持棒
１０・・・ベアリング    ２８・・・操作棒
１０ａ・・・ベアリング  ２９・・・スライド盤
Ｆ・・・仕切材
【図１】
2011231599.tif 000003
【図２】
2011231599.tif 000004
【図３】
2011231599.tif 000005
【図４】
2011231599.tif 000006